(57)【要約】      （修正有）【課題】衝撃時の並進加速度及び回転加速度による頭部への損傷を抑制する。【解決手段】上層２２および下層１８を備えた衝撃迂回機構１６。これらの２層は、衝撃を受けた時に上層２２が下層１８に対して動くように構成されるように接続されており、これにより、上層２２は衝撃を迂回して下層１８にかかる回転加速度および直線加速度を低減することができる。衝撃迂回機構１６は、ヘルメット１０のような保護を必要とする物体に取り付けられてもよいし、または、取り付けられるように構成されてもよい。【選択図】図２
2020183609.tif 000002
【特許請求の範囲】
【請求項１】
衝撃迂回機構であって、
下層と、
前記下層に対して隣接して配置され且つ機械的に接続された上層であって、前記上層は前記下層から遠くに配置された衝撃面を有し、前記上層および前記下層は互いに対して動くことができ、前記衝撃面は平面状または非平面状である上層と、
前記上層および前記下層は、上層の衝撃面上の衝撃点に斜め衝撃力がかかった際に前記上層が前記下層に対してズレるように構成されており、
前記斜め衝撃力は、前記衝撃面上の前記衝撃点における平面上に投影される平行成分を有するベクトルであり、
前記平面は、非平面状衝撃面に対して接線方向であるか、あるいは、平面状衝撃面に一致し、
前記下層に対する前記上層の前記ズレは、前記斜め衝撃力の前記ベクトルの前記平行成分から生じる運動エネルギーを迂回および放散させ、これにより、回転加速度を低減する、衝撃迂回機構。
【請求項２】
前記上層および前記下層の間には、潤滑材が存在し、
前記潤滑材は、前記上層に存在する自己の潤滑材と、前記下層に存在する自己の潤滑材と、前記上層および前記下層の間にある独立した潤滑材と、これらの組み合わせと、からなる群から選択される、請求項１に記載の衝撃迂回機構。
【請求項３】
前記上層上に前記斜め衝撃力がかかった結果として前記下層に対して実質的に横方向に前記上層がズレるように前記下層および前記上層が構成されている、請求項１に記載の衝撃迂回機構。
【請求項４】
前記上層および前記下層は、熱硬化性プラスチック、従来の熱可塑性物質、または、熱硬化性エラストマーのような弾性または非弾性の材料からなる、請求項１に記載の衝撃迂回機構。
【請求項５】
前記下層は、連続的または非連続的にランダムまたは均一なパターンに配置された異なる形状の複数の区画からなる、請求項１に記載の衝撃迂回機構。
【請求項６】
前記上層および前記下層は共に複合または積層材料を備えている、請求項１に記載の衝撃迂回機構。
【請求項７】
前記上層および前記下層の少なくとも一方は強化されている、請求項１に記載の衝撃迂回機構。
【請求項８】
前記上層および前記下層の少なくとも一方は、ずり増粘材料のような衝撃吸収材料を含んでいる、請求項１に記載の衝撃迂回機構。
【請求項９】
前記上層は、前記下層に対して周囲全体にわたって接合されている、請求項１に記載の衝撃迂回機構。
【請求項１０】
前記上層に１つ以上の追加層が追加されており、
前記追加層は、互いに自由に動くことができる１つ以上の潤滑層および強化層を含む、請求項１に記載の衝撃迂回機構。
【請求項１１】
前記上層の外表面は、前記斜め衝撃力が生じた際により良い機械的グリップが得られるように、平滑面と、平坦面と、テクスチャ面と、からなる群から選択される面を有する、請求項１に記載の衝撃迂回機構。
【請求項１２】
前記下層が物体の表面に固定されるように構成されており、前記斜め衝撃力に曝された時に前記衝撃迂回機構が無かった場合の前記物体の回転加速度に比べて、前記斜め衝撃力に曝された時の前記物体の前記回転加速度を低減するように前記衝撃迂回機構が構成されている、請求項１に記載の衝撃迂回機構。
【請求項１３】
前記下層は、接着剤、共成形、機械的手段、剥離紙付き粘着材、または、他の任意の取り付け方法を用いて前記物体に取り付けられる、請求項１２に記載の衝撃迂回機構。
【請求項１４】
前記下層は前記物体に取り付けられ、前記物体は保護用ギアまたはアーマーの外側層であり、前記取り付けは接着剤または機械的手段を用いて１つ以上の箇所で行われる、請求項１２に記載の衝撃迂回機構。
【発明の詳細な説明】
【技術分野】
【０００１】
関連出願の相互参照
本願は６月３０日出願の米国仮出願第６１／５０３，０５４号に基づく優先権を主張し、当該出願の開示内容全体が本願に援用されるものとする。
【０００２】
発明の分野
本発明は衝撃迂回機構に関する。より具体的には、本発明は、保護用装具（例えば、ヘルメットまたはボディアーマー）に搭載した時に、事故、スポーツ、労災の怪我、転倒、および暴力に関連する怪我を防ぐように設計された機構に関する。
【０００３】
背景
様々なヘルメット設計がある。それぞれ特定種類の活動に適している。一般的に、ヘルメット構造は、剛質のアウターシェル、衝撃吸収ライナー、フィットパディング、および留め具システムで構成されている。アウターシェルの役割は、ヘルメット内部へのあらゆる貫通を防ぐとともに、衝撃荷重をライナー全体に均一に分散することである。ライナーの機能は、衝撃のエネルギーを吸収することである。衝撃荷重を分散させると、ライナーのエネルギー吸収能力が増大する。衝撃が生じるとアウターシェルは瞬時に停止する。しかし、ヘルメット内部では、ライナーに当たるまで頭が動き続ける。ライナーの役割は、頭を「やさしく」停止させることである。換言すれば、ライナーの主要な役割は、装着者の頭の並進加速度の絶対値を低減することである。硬いライナー程、事故の最中に脳にかかる衝撃荷重が多くなり、より軟らかいライナー程、脳に伝わる衝撃が少なくなる。
【０００４】
現在のヘルメットは、衝撃時の並進加速度を低減することに主要な焦点を置いている。しかし、回転加速度も怪我を引き起こすに足り得る。実は、回転加速度が頭の怪我の主要な原因であることが最近の研究で分かっている。並進加速度が頭の怪我の閾値を超えなくとも、回転加速度が怪我を引き起こす大きさに達し得ることが証明されている。従って、ヘルメット設計を改良して、並進加速度を低減するだけでなく、回転加速度も低減する必要がある。
【０００５】
ＷＯ２０１０／１５１６３１Ａ１は、インナーシェルとアウターシェルとの間に配置された中間層を介して、衝撃荷重の方向を問わず、アウターシェルがインナーシェルに対して回転可能である保護用ヘッドギアを記述している。中間層は、接線すなわち剪断方向に連続的に且つ非線形に変形する実質的に等方性の柔軟な材料で構成されている。この層が衝撃の際に変形することにより、インナーシェルがアウターシェルに対して回転して使用者の頭の回転加速度を低減することが可能になる。
【０００６】
ＷＯ０３００５８４４Ａ１は、衝撃が生じている間、使用者の頭の回転加速度を低減する機能を有する保護用ヘッドギアを開示している。この発明は、典型的なヘッドギアのシェルと、このヘッドギアシェルの外側面に重ねられた１枚のエラストマー外側膜（この１つの層は複合または積層材料を含み得る）とを備えている。この１枚のエラストマー外側膜は、独立気泡可塑化ポリ塩化ビニルと、ポリエチレンと、エチレン−酢酸ビニル共重合体とを備えている。さらに、シェルと外側膜との間に潤滑材が設けられていてもよい。障害物との衝撃の際に外側膜に摩擦力がかかり、このかかっている力によって外側膜はヘッドギアシェルに対して動く。潤滑材によってシェルと外側膜との間の摩擦は最小限に抑えられているので、ヘッドギアは衝撃面および膜に対して滑動する。この発明は、人間の頭皮が頭蓋骨に対して動くことによる保護を再現している。この外側膜は、頭蓋骨に固定されずに頭蓋骨に対して限られた距離だけ動けるように自由になっている頭皮を模倣して設計されている。この機構は、衝撃の際の衝撃力の接線成分の怪我発生効果を軽減し、装着者の頭の回転方向の（即ち、角度のついた）加速度を低減するものとして記載されている。
【０００７】
ＷＯ０９０１９６６７Ａは、ヘルメットのキャップのコーティングであって、前記コーティングは、接着手段を用いて前記キャップに固定するように配置された第１面および前記第１面に対向する第２面を有する第１の弾力材層と、前記弾力材層の前記第２面に前記接着手段を用いて固定されるコーティング層とを備えたコーティングを紹介している。これによりヘルメットの安全保護能力が向上し、また、このコーティングは異なるサイズのヘルメットに容易に適合可能である。
【０００８】
一般に、入手可能なヘルメットは、回転加速度に対する保護を全く提供しない。従って、ヘルメットなどほぼ全ての種類の安全装具のアウターシェル上に使用者や製造者が簡単に設置できる効果的な追加装着層としての衝撃迂回機構が必要とされている。
【０００９】
要旨
ある局面において、事故（例えば、車、バイク、自転車など）、スポーツ活動（例えば、ホッケー、フットボール、スキー、リュージュ、クライミングなど）、労災の怪我、転倒、および暴力に関連する怪我を防ぐ衝撃迂回機構が提供される。
【００１０】
別のある局面において、衝撃迂回機構が提供される。ある実施形態において、衝撃迂回機構は、
下層と、
前記下層に対して隣接して配置され且つ機械的に接続された上層であって、前記上層は前記下層から遠くに配置された衝撃面を有し、前記上層および前記下層は互いに対して動くことができ、前記衝撃面は平面状または非平面状である上層と、を備え、
前記上層および前記下層は、上層の衝撃面上の衝撃点に斜め衝撃力がかかった際に前記上層が前記下層に対してズレるように構成されており、
前記斜め衝撃力は、前記衝撃面上の前記衝撃点における平面上に投影される平行成分を有するベクトルであり、
前記平面は、非平面状衝撃面に対して接線方向であるか、あるいは、平面状衝撃面に一致し、
前記下層に対する前記上層の前記ズレは、前記斜め衝撃力の前記ベクトルの前記平行成分から生じる運動エネルギーを迂回および放散させ、これにより、回転加速度を低減する、衝撃迂回機構。
【００１１】
別の局面において、斜め衝撃の際に回転加速度および直線加速度を共に軽減し、さらなる安全性を提供することができる衝撃迂回機構が提供される。
【００１２】
別の局面において、互いに対して動くことができる少なくとも２つの層を備え、これにより、前記上層が一時的または永久的に変形または破断して、回転運動を低減する衝撃迂回機構が提供される。前記上層が前記下層に対して動くことができ且つ特定の箇所においてのみ前記下層に接続されている状態で、前記下層が保護用ギアのアウターシェルに完全に取り付けられる。
【００１３】
別の局面において、１つの一体層として、あるいは、互いに接続されたまたは接続されていないランダムまたは均一なパターンに配置された異なる形状の複数の区画からなるカバーとして、任意の種類の頭および体用の保護用装具のアウターシェルを覆うことができる衝撃迂回機構が提供される。
【００１４】
別の局面において、表面の全体を利用して回転加速度を低減するエッジレス設計を有する衝撃迂回機構が提供される。
【００１５】
別の局面において、下層に衝撃迂回材料を使用することにより、衝撃荷重をより効率的に軽減し、これにより、装着者の頭または体の直線加速度を低減することができる衝撃迂回機構が提供される。
【００１６】
別の局面において、２つの層の間に任意の種類の潤滑材を使用した衝撃迂回機構が提供される。前記潤滑材はハードシェルから分離させてあり、これにより、ハードシェルが長期使用で劣化するのを防いでいる。
【００１７】
添付図面を参照しながら下記の特定の実施形態の説明を読むことによって、本開示内容の上記以外の局面および特徴が当業者には明らかになるであろう。
【００１８】
衝撃迂回機構の用途は、保護用ヘッドギア（例えば、ヘルメット）およびボディアーマーのような個人用保護用装具に限定されない。本機構は、衝撃力を低減すること、特に回転加速度を低減することを目的とする任意の他の用途において使用可能である。非限定的な例として、本機構を組み込むことによって車両のバンパーを改良し得る。本設計の他の用途として、航空機のキャビン内部または車両の内部でこれを使用して、それにより、大きな加速または減速が生じる事故の際の怪我を低減する用途がある。
【図面の簡単な説明】
【００１９】
以下の添付図面を参照しながら本願の実施形態を説明するが、これは例示に過ぎない。
【図１】図１は、ヘルメットの側面図を示す。
【図２】図２は、本明細書に記載の実施形態による、衝撃迂回機構をヘルメットのアウターシェル上に搭載した状態の断面図を示す。
【図３】図３は、本明細書に記載の実施形態による、衝撃迂回機構のエッジを接合することにより互いに接合した上層および下層の断面図を示す。
【図４】図４は、本明細書に記載の実施形態による、衝撃迂回機構の下層の下側に折り込まれた余分なエッジを有する上層の断面図を示す。
【図５】図５は、本明細書に記載の実施形態による、衝撃迂回機構の下層の下側に折り込まれた余分なエッジを有する上層の断面図を示す。
【図６】図６Ａおよび図６Ｂは、本明細書に記載の実施形態による、複数の小さなボールベアリングを有する衝撃迂回機構の上面図（図６Ａ）および断面図（図６Ｂ）を示す。
【図７】図７は、本明細書に記載の実施形態による、余分なエッジを有する衝撃迂回機構の上層の上面図を示す。
【図８】図８は、本明細書に記載の実施形態による、図７の上層の余分なエッジをその下側に収めるための余白を有する下層の上面図を示す。
【図９】図９は、開示された実施形態による、代表的な衝撃迂回機構に生じた衝撃に含まれる複数の力を示した図である。
【００２０】
詳細な説明
ある局面において、衝撃迂回機構が提供される。ある実施形態において、衝撃迂回機構は、
下層と、
前記下層に対して隣接して配置され且つ機械的に接続された上層であって、前記上層は前記下層から遠くに配置された衝撃面を有し、前記上層および前記下層は互いに対して動くことができ、前記衝撃面は平面状または非平面状である上層と、を備え、
前記上層および前記下層は、上層の衝撃面上の衝撃点に斜め衝撃力がかかった際に前記上層が前記下層に対してズレるように構成されており、
前記斜め衝撃力は、前記衝撃面上の前記衝撃点における平面上に投影される平行成分を有するベクトルであり、
前記平面は、非平面状衝撃面に対して接線方向であるか、あるいは、平面状衝撃面に一致し、
前記下層に対する前記上層の前記ズレは、前記斜め衝撃力の前記ベクトルの前記平行成分から生じる運動エネルギーを迂回および放散させ、これにより、回転加速度を低減する、衝撃迂回機構である。
【００２１】
図９は、開示される実施形態の基準系を示すものであり、斜め衝撃力ベクトルは斜めの角度で衝撃面に衝突する物体を表している。このベクトルは接線成分および法線成分を有する。衝撃面は図のように丸くなくてもよく、平坦であってもよい。
【００２２】
図面を参照して、本明細書に記載の実施形態は、ヘルメット１０または他の（例えば、装着者の頭や体を怪我から守るための）保護用装具に対して保護用追加装着物として任意に追加できる衝撃迂回機構１６を含む。従来技術として公知の典型的なヘルメット１０を図１に示す。ヘルメット１０に取り付けられた状態の機構１６を図２に示す。
【００２３】
図示を分かり易く明瞭にするために、複数の図面にわたって同じ参照符号を使って対応または類似要素を示している。本明細書に記載の実施形態が理解できるように、細部を多く示している。これらの細部が無くても実施形態は実施可能である。他方、本明細書に記載の実施形態が解りにくくなることを避けるために、周知の方法、手順、構成要素については詳細に記載していない。本明細書の内容は、本明細書に記載の実施形態の範囲に限定して解釈されるものではない。
【００２４】
機構１６は、下層１８の上に配置された上層２２に機械的に接合された下層１８を備えている。上層２２は、機構が斜めの角度から衝撃を受けた時に回転加速度を低減することにより下層１８を保護する。
【００２５】
図示した代表的な実施形態において、下層１８は、ヘルメット１０のアウターシェル１２に取り付けられる。本明細書に記載の機構が、ヘルメットのような物体に搭載されている時、あるいは、搭載されるように構成されている時、下層は物体に最も近い層であり、上層は物体から遠い層である。
【００２６】
下層１８は、図２に示すように、接着剤または機械的留め具を用いて、アウターシェルの表面１２に固定するか、しっかりと取り付けられる。下層１８は、熱硬化性プラスチック（例えば、シリコーン）、従来の熱可塑性物質、ポリウレタンエラストマーのような熱硬化性エラストマー、天然又は合成ゴム、可塑化フォーム、あるいは、低密度または高密度ポリエチレンからなる。
【００２７】
下層１８は、単純層、複合層または複数のチャンバーを含む層であってもよい。チャンバーが含まれる場合、チャンバーは、保護用装具にかかる衝撃荷重による直線加速度を低減するｄ３ｏTMなどのような膨張性（ずり増粘）材料（せん断ひずみ率と共に粘度が増大する）を含む。特定の実施形態において、他の衝撃吸収材料または機構を用いて直線加速度をさらに低減する。
【００２８】
潤滑材からなる中間層２０は、上層２２を動き易くする。図５に示すある実施形態において、上層２２ａは、熱硬化性プラスチック（例えば、シリコーン）、従来の熱可塑性物質、ポリウレタンエラストマーのような熱硬化性エラストマー、天然又は合成ゴム、可塑化フォーム、あるいは、低密度または高密度ポリエチレンのような可撓性および伸縮性のある材料からなる単純層（即ち、複合化するためにポリマーに何かを足したりしていない）である。ある実施形態において、上層および下層は、熱硬化性プラスチック、従来の熱可塑性物質、または熱硬化性エラストマーのような弾性または非弾性の材料からなる。
【００２９】
上層２２は、上層２２と下層１８との間に配置される任意の中間層２０の上に重なるように配置される。中間層２０について、特定の実施形態においては中間層２０は独立した１つの層であるが、特定の実施形態においては両層が互いに対して動き易くなるように上層および／または下層に自己の潤滑材が存在する。ある実施形態において、上層に存在する自己の潤滑材と、下層に存在する自己の潤滑材と、上層および下層の間にある独立した潤滑材と、これらの組み合わせと、からなる群から選択される潤滑材が上層および下層の間にある。
【００３０】
中間層２０は、上層２２と下層１８とを互いに対して動き易くすることができる潤滑材またはゲルである。潤滑材をハードシェル１２から分離しているのは、ハードアウターシェル１２が長期使用で劣化するかもしれないのを防ぐためであり、この実施形態は任意の種類のハードシェル１２に使用可能である。
【００３１】
中間層２０を含まない実施形態においては、上層２２および下層１８は、当接していてもよいし、あるいは、機械的接続を維持したまま間隙を挟んで互いに分離されていてもよい。
【００３２】
本明細書に記載の実施形態は、概して、機構１６をヘルメット（例えば、図２のヘルメット１０）に使用することを述べているが、機構１６は、１つの一体層として、あるいは、互いに接続されたまたは接続されていないランダムまたは均一なパターンに配置された異なる形状の複数の区画からなるカバーとして、任意の種類の保護用装具（例えば、個人用保護用装具）の外表面を覆うように使用してもよいことが当業者であれば理解できる。
【００３３】
斜め衝撃の際に上層２２が一時的または永久的に変形または破断して下層１８に対して（例えば、横方向に）動くことにより回転加速度を低減するように機構１６の各層が構成されている。従って、ある実施形態において、上層に斜め衝撃力がかかった結果として下層に対して実質的に横方向に上層がズレるように下層および上層が構成されている。本明細書においては、「実質的に横方向に」という用語は、図９に示すように垂直方向よりも接線方向においてより大きい動きのことを指す。
【００３４】
別の実施形態において、上層は衝撃を受けた際に破断または永久変形する。
【００３５】
本明細書に記載の代表的な実施形態は、典型的には、物体（例えば、ヘルメット）を含み、この物体に衝撃迂回機構が搭載または取り付けられる。しかし、特定の実施形態において、衝撃迂回機構は物体には搭載されない。代わりに、保護を必要とする物体に取り付けられるように衝撃迂回機構が構成されていてもよい。ある実施形態において、下層が物体の表面に固定されるように構成されており、斜め衝撃力に曝された時に衝撃迂回機構が無かった場合の物体の回転加速度に比べて、斜め衝撃力に曝された時の物体の回転加速度を低減するように衝撃迂回機構が構成されている。
【００３６】
さらに別の実施形態において、下層は、接着剤、共成形、機械的手段、剥離紙付き粘着材、または、他の任意の取り付け方法を用いて物体に取り付けられる。このような接着剤は当業者には周知である。
【００３７】
ある実施形態において、下層は物体に取り付けられ、物体は保護用ギアまたはアーマーの外側層であり、取り付けは接着剤または機械的手段を用いて１つ以上の箇所で行われる。
【００３８】
ある実施形態において、上層の外表面は、斜め衝撃力が生じた際により良い機械的グリップが得られるように、平滑面と、平坦面と、テクスチャ面と、からなる群から選択される面を有する。
【００３９】
図３および図４に示す特定の実施形態において、上層２２は、可撓性および伸縮性のある材料からなる複数の小さな平円盤体２８を含む強化層２２ｂ（例えば、ポリマーおよび添加物を含む複合層）である。強化層２２ｂは以下の手順で作成される。まず、可撓性の薄い層を作成し、その後、この第１層上に複数の小さな平円盤体２８を配置し、その後、可撓性材料からなる第２層を上に加える。硬化後、上層２２ｂは、複数の小さな平円盤体２８が層２２ｂの中に（例えば、魚の鱗のように）分散した１つの一体層となる。上層の外表面には上層と衝撃領域との間のグリップが増大するようにテクスチャを採用しており、この結果、上下層の性能が向上する。
【００４０】
別の実施形態において、上層２２は比較的高い硬度を有する粒子を含んでいる（例えば、上層２２中に複合物として埋め込まれている）。このような粒子は、衝撃荷重に対して層２２を強化したり、および／または、潤滑材２０および下層１８上で上層２２が滑動する能力を向上させる。他方、この粒子は互いに分離しており、弾性を有する上層２２はその可撓性および伸縮性を維持することができるので、この粒子の存在によって層２２の全体的な硬度が増大することはない。この種の層は、回転加速度を大幅に低減させ得るものであり、また、より弾力があるので、ごつごつした表面上でも機能する。
【００４１】
ある実施形態において、上層に１つ以上の追加層が追加されており、追加層は、互いに自由に動くことができる１つ以上の潤滑層および強化層を含む。
【００４２】
別のある局面において、図６Ａおよび図６Ｂに示すように、複数の小さなボール３２用のケース層３０を備えた迂回機構が提供され、個々のボール３２はケース３０に入っていて自由に回転できるようになっている。この弾性を有する層は、中でボールが自由に回転できる小さな剛質のケースを有している。従って、本明細書に記載の他の設計のような潤滑層はない。また、ボールの回転を改善するためにケース内部に潤滑媒体を施してもよい。斜め衝撃の際、これらの小さなボール３２がケース３０内で回転することにより、ヘルメット１０は回動せずに滑動し、それにより、回転加速度を低下させる。
【００４３】
上層２２は、図３、図４、図５、図７および図８に示すように異なる方法で下層１８に接合される。ここで図３を参照して、小さな平円盤体２８を備えた上層２２ｂと下層１８とを接合エッジ２４によって互いに接合する（即ち、これら２層に接合用の突条と溝が設計されている）。
【００４４】
ある実施形態において、上層は下層に対して周囲全体にわたって接合される。さらに別の実施形態において、これら２層は、両者の互いに隣接する表面の全体にわたって接続されてはおらず、隣接する表面の一部にわたって接続される。
【００４５】
別の実施形態において、上層２２は、図４、図５、図７および図８に示すように、外側に伸びて下層１８の下側に折り込まれる延長エッジ２６を備えている。延長エッジ２６を用いれば、ヘルメット上の尖ったエッジを少なくして見た目を改善する「エッジレス」設計を作成することができる。エッジレス設計を用いれば、衝撃迂回機構１６の周囲に衝撃がかかった場合でも機構が機能し、ヘルメット１０は滑動できる。エッジレス設計と非機能的エッジのある設計との違いは、それを隠すためにヘルメットの実際の周囲エッジにアクセスできない状態で保護層をヘルメット上に設置しなければならない場合によく分かる。
【００４６】
エッジレス設計は２つの層を用いるだけで作成できる。エッジレス設計を用いれば、衝撃迂回機構の周囲に衝撃がかかった場合でも機構が機能し、ヘルメットは滑動できる。１つの層だけを用いて、外側層の境界部をハードシェルに取り付けると非機能的エッジが生じ得る。外側層の非機能的エッジに当たった場合、エッジレス設計の場合ほど効果的には回転加速度が低減されないかもしれない。エッジレス設計と非機能的エッジのある設計との違いは、それを隠すためにヘルメットの実際の周囲エッジにアクセスできない状態で保護層をヘルメット上に設置しなければならない場合によく分かる。
【００４７】
ここで図７を参照して、本明細書に記載の実施形態による、複数の延長エッジ２６を有する衝撃迂回機構１６の上層２２の上面図を示す。延長エッジ２６はタブ形状であり、図４および図５に示すように下層１８の張り出しエッジ（例えば、図８の余白３４）の下側に、または、機構１６を搭載するヘルメット１０のエッジの下側に折り込むことができる。
【００４８】
ここで図８を参照して、本明細書に記載の実施形態による、図７の上層の延長エッジ２６をその下側に重ねるための余白３４を有する下層１８の上面図を示す。
【００４９】
さらに別の実施形態において、上下層は、接合境界が全く無い一体パーツである。
【００５０】
機構１６は、斜め衝撃の際の回転加速度を低減し、ヘルメット１０の装着者にさらなる安全性を提供するだろう。衝撃迂回機構１６に加えて、機構１６の複数の層（または追加装着層）をずり増粘（膨張性）材料のような衝撃吸収材料から作成し、それにより、回転加速度から保護するだけでなく、装着者の頭および体にかかる直線加速度を軽減することも可能である。
【００５１】
単一層保護機構と比べて、（潤滑材２０によって分離された）上層２２および下層１８の両方を有する利点のいくつかは、以下の通りである。
【００５２】
利用可能な表面積の全体を利用して回転加速度を低減するエッジレス設計（図４、図５、図７および図８）が可能となること、回転加速度をより低減できること、
特にヘルメットの一部領域のみを覆う追加装着物として機構１６を簡単に設置できること、
潤滑材２０をハードシェル１２から分離することにより、長期使用によって起こり得るハードシェル１２の劣化を防ぐとともに設置を容易にし、これにより、機構１６が任意の種類のハードシェルに使用可能となること、および、
下層１８に衝撃迂回材料を使用することにより、衝撃荷重をより効率的に軽減し、これにより、装着者の頭の直線加速度を低減できること。
【００５３】
ある実施形態において、機構は上層と下層との間に間隙を含む。
【００５４】
ある実施形態において、下層は物体に取り付けられ、この物体は、車両、航空機、または、斜め衝撃力に曝される他の物体である。
【００５５】
ある実施形態において、下層は物体の内部に取り付けられる。
【００５６】
ある実施形態において、物体は、飛行機、自動車、列車、または、斜め衝撃力に曝される他の乗り物の乗車空間である。
【００５７】
ある実施形態において、上層の外表面に発光材料または発光装置を埋め込み、これにより、暗い条件下での視認性を向上させる。
【００５８】
ある実施形態において、第１層すなわち上層の外表面は情報を表示するように構成されている。
【００５９】
ある実施形態において、この情報は、広告、ロゴ、商標、許可証ラベル、警告ラベル、シリアルナンバーなどである。
【００６０】
ある実施形態において、衝撃迂回機構は、斜め衝撃力に曝された時に衝撃迂回機構が無かった場合の物体の直線加速度に比べて、斜め衝撃力に曝された時の物体の直線加速度を低減する。
【００６１】
ある実施形態において、上層は、下層だけでなく物体にも接合されるように構成されている。
【００６２】
ある実施形態において、上記各層のいずれもが他の層の一部分となっている。
【００６３】
ある実施形態において、上記各層のいずれもが他の層とは独立している。
【００６４】
ある実施形態において、上層が下層に対してズレる性能を向上させる比較的高い硬度を有する粒子を上層が含んでいる。
【００６５】
ある実施形態において、衝撃迂回機構は、上層に比べて下層の直線加速度を低減するように構成されている。
【００６６】
ある実施形態において、下層は、単純層、複合層、または、複数のチャンバーを含む層である。
【００６７】
ある実施形態において、上層または下層は積層構造を備えている。
【００６８】
本発明の好適な実施形態を例示および説明したが、本発明の精神および範囲を逸脱することなく実施形態に様々な変更を加えることが可能であることは言うまでもない。
【図１】
2020183609.tif 000003
【図２】
2020183609.tif 000004
【図３】
2020183609.tif 000005
【図４】
2020183609.tif 000006
【図５】
2020183609.tif 000007
【図６】
2020183609.tif 000008
【図７】
2020183609.tif 000009
【図８】
2020183609.tif 000010
【図９】
2020183609.tif 000011
【手続補正書】
【提出日】令和2年7月30日(2020.7.30)
【手続補正１】
【補正対象書類名】特許請求の範囲
【補正対象項目名】全文
【補正方法】変更
【補正の内容】
【特許請求の範囲】
【請求項１】
保護用装具に結合可能な衝撃迂回機構(16)であって、前記衝撃迂回機構(16)は、
前記保護用装具の内部表面の一部に結合可能な下層(18)と、
前記下層(18)の周囲全体にわたって隣接して配置され且つ機械的に接続された上層(22)であって、前記上層(22)は前記下層(18)から遠くに配置された衝撃面を有し、前記上層(22)および前記下層(18)は互いに対して動くことができ、前記上層(22)および前記下層(18)は前記保護用装具の前記表面の領域よりも小さく、前記衝撃面は平面状または非平面状である上層(22)と、を備え、
前記上層(22)および前記下層(18)は、前記上層(22)の前記衝撃面上の衝撃点に斜め衝撃力がかかった際に前記上層(22)が前記下層(18)および前記保護用装具の前記表面に対してズレるように構成されており、
前記衝撃迂回機構(16)は、前記保護用装具及び/又はその構成要素の前記表面の一部に結合可能であり、
前記上層(22)および前記下層(18)は可撓性があることから、前記衝撃迂回機構(16)は結合時に前記保護用装具の前記表面と適合するものであり、
平面は、非平面状衝撃面に対して接線方向であるか、あるいは、平面状衝撃面に一致し、
前記上層と前記下層との間に潤滑材(20)が存在し、
前記下層(18)に対する前記上層(22)の前記ズレは、前記斜め衝撃力のベクトルの平行成分から生じる運動エネルギーを迂回および放散させ、これにより、前記保護用装具の回転加速度と直線加速度を低減する、衝撃迂回機構(16)。
【請求項２】
前記上層と前記下層との間の前記潤滑材(20)は、前記上層に存在する自己の潤滑材と、前記下層に存在する自己の潤滑材と、前記上層および前記下層の間にある独立した潤滑材と、これらの組み合わせと、からなる群から選択される、請求項１に記載の衝撃迂回機構(16)。
【請求項３】
前記上層(22)上に前記斜め衝撃力がかかった結果として前記下層(18)に対して横方向に前記上層(22)がズレるように前記下層(18)および前記上層(22)が構成されている、請求項１に記載の衝撃迂回機構(16)。
【請求項４】
前記上層(22)および前記下層(18)は、弾性または非弾性の材料からなる、請求項１に記載の衝撃迂回機構(16)。
【請求項５】
弾性または非弾性の材料は、熱硬化性プラスチック、熱可塑性物質および熱硬化性エラストマーからなる群より選択される、請求項４に記載の衝撃迂回機構(16)。
【請求項６】
前記下層(18)は、ランダムまたは均一なパターンに配置された異なる形状の複数の区画でできている、請求項１に記載の衝撃迂回機構(16)。
【請求項７】
前記上層(22)および前記下層(18)は共に複合または積層材料を備えている、請求項１に記載の衝撃迂回機構(16)。
【請求項８】
前記上層(22)および前記下層(18)の少なくとも一方は強化されている、請求項１に記載の衝撃迂回機構(16)。
【請求項９】
前記上層(22)および前記下層(18)の少なくとも一方は、衝撃吸収材料を含んでいる、請求項１に記載の衝撃迂回機構(16)。
【請求項１０】
前記衝撃吸収材料は、膨張性である、請求項９に記載の衝撃迂回機構(16)。
【請求項１１】
前記上層(22)及び下層(18)の少なくとも一方は、織物または繊維材料である、請求項１に記載の衝撃迂回機構(16)。
【請求項１２】
前記下層(18)は、接着性の裏地層を用いて前記保護用装具の表面の一部に連結可能である、請求項１に記載の衝撃迂回機構(16)。
【請求項１３】
前記上層(22)に１つ以上の追加層が追加されており、
前記追加層は、互いに自由に動くことができる１つ以上の潤滑層および強化層を含む、請求項１に記載の衝撃迂回機構(16)。
【請求項１４】
前記上層(22)の外表面は、前記斜め衝撃力が生じた際により良い機械的グリップが得られるように、平滑面と、平坦面と、テクスチャ面と、からなる群から選択される面を有する、請求項１に記載の衝撃迂回機構(16)。
【請求項１５】
前記衝撃迂回機構(16)は、更に、共成形、機械的手段、溶接または剥離紙付き粘着材を用いて前記保護用装具及び/又はその構成要素の表面に結合可能である、請求項１に記載の衝撃迂回機構(16)。
【請求項１６】
前記衝撃迂回機構(16)は、前記保護用装具及び/又はその構成要素の表面に１つ以上の箇所で結合可能である、請求項１５に記載の衝撃迂回機構(16)。
【請求項１７】
前記保護用装具は、使用者の体の一部に着用するように構成される、請求項１に記載の衝撃迂回機構(16)。
【請求項１８】
前記保護用装具は、ヘルメット(10)である、請求項1に記載の衝撃迂回機構(16)。
【請求項１９】
前記上層(22)または前記下層(18)の前記表面は、広告、ロゴ、商標、許可証ラベル、警告ラベル、シリアルナンバーを表示するように構成される、請求項１に記載の衝撃迂回機構(16)。
【請求項２０】
前記上層(22)または前記下層(18)は、暗い条件での前記衝撃迂回機構の視認性を向上させるように構成された発光材料を更に含む、請求項1に記載の衝撃迂回機構(16)。
【請求項２１】
前記下層(18)は、剛質シェル(12)の外表面に結合可能である、請求項１に記載の衝撃迂回機構(16)。
【請求項２２】
前記上層(22)は、前記保護用装具の使用中に使用者と接するように構成された可塑化フォームでできている、請求項１に記載の衝撃迂回機構(16)。
【請求項２３】
複数の衝撃迂回機構(16)が前記保護用装具に結合している、請求項１に記載の衝撃迂回機構(16)。
【請求項２４】
前記上層は、前記下層と同じ構成及び材料特性を有する、請求項１に記載の衝撃迂回機構(16)。
【請求項２５】
前記保護用装具は、着脱可能な衣料品であり、衝撃、要因又は他の害から物体を保護する構成である、請求項１に記載の衝撃迂回機構(16)。
【外国語明細書】
2020183609000001.pdf